(57)【特許請求の範囲】
【請求項１】
セルラーシステム及び異なる周波数帯を利用する他無線システムにて通信可能な移動端末と通信する基地局であって、
移動端末から、セルラーシステム及び他無線システムにて同時に通信していることを示す情報を受信し、同時通信状態になっている無線システムの種別に関する情報を受信する受信部と、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにする処理部と、
を有し、
前記処理部は、前記移動端末からのセルラーシステムの上りリンク送信により相互変調歪又は高調波歪が発生する周波数の範囲を示すテーブルを参照して、相互変調歪又は高調波歪の周波数の範囲が他無線システムの周波数帯と重ならないようにスケジューリングする、基地局。
【請求項２】
移動端末から、セルラーシステム及び他無線システムにて同時に通信していることを示す情報を受信し、同時通信状態になっている無線システムの種別に関する情報を受信する受信部と、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにする処理部と、
を有し、
前記処理部は、前記移動端末からのセルラーシステムの上りリンク送信により相互変調歪又は高調波歪が発生する周波数の範囲を算出し、当該算出した相互変調歪又は高調波歪の周波数の範囲が他無線システムの周波数帯と重ならないようにスケジューリングする、基地局。
【請求項３】
セルラーシステム及び異なる周波数帯を利用する他無線システムにて通信可能な移動端末と通信する基地局における処理方法であって、
移動端末から、セルラーシステム及び他無線システムにて同時に通信していることを示す情報を受信し、同時通信状態になっている無線システムの種別に関する情報を受信するステップと、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにするステップと、
を有し、
前記重ならないようにするステップにおいて、前記移動端末からのセルラーシステムの上りリンク送信により相互変調歪又は高調波歪が発生する周波数の範囲を示すテーブルを参照して、相互変調歪又は高調波歪の周波数の範囲が他無線システムの周波数帯と重ならないようにスケジューリングする、処理方法。
【請求項４】
セルラーシステム及び異なる周波数帯を利用する他無線システムにて通信可能な移動端末と通信する基地局における処理方法であって、
移動端末から、セルラーシステム及び他無線システムにて同時に通信していることを示す情報を受信し、同時通信状態になっている無線システムの種別に関する情報を受信するステップと、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにするステップと、
を有し、
前記重ならないようにするステップにおいて、前記移動端末からのセルラーシステムの上りリンク送信により相互変調歪又は高調波歪が発生する周波数の範囲を算出し、当該算出した相互変調歪又は高調波歪の周波数の範囲が他無線システムの周波数帯と重ならないようにスケジューリングする、処理方法。
【発明の詳細な説明】
【技術分野】
【０００１】
本発明は、移動端末、基地局、通信状態通知方法及びスケジューリング方法に関する。
【背景技術】
【０００２】
３ＧＰＰ（Third Generation Partnership Project）において、移動端末（UEとも呼ばれる）から基地局（eNode Bとも呼ばれる）への上りリンク送信及び基地局から移動端末への下りリンク送信に利用可能な周波数帯が規定されている。また、複数の周波数帯を同時に利用することによるキャリアアグリゲーション（CA：Carrier Aggregation）も検討されている（非特許文献１参照）。【０００３】
セルラーシステムにおける移動端末から基地局への上りリンク送信に伴い、相互変調歪（IMD：Inter-modulation distortion）又は高調波歪（Harmonic distortion）という不要発射が移動端末内部で発生することが知られている。【０００４】
IMDとは、２つ以上の異なる周波数の信号が存在する場合、これらの周波数の和又は差の組み合わせによって決まる周波数に発生する妨害波である。キャリアアグリゲーションにより複数の周波数帯が同時に利用されている場合、これらの周波数帯の信号の組み合わせによってIMDが発生する。【０００５】
高調波歪とは、受信回路の非線形性により、信号の周波数の倍数によって決まる周波数に発生する妨害波である。キャリアアグリゲーションにより複数の周波数帯が同時に利用されている場合だけでなく、１つの周波数帯が利用されている場合でも、高調波歪が発生する。
【先行技術文献】
【非特許文献】
【０００６】
【非特許文献１】3GPP TS 36.101 V12.4.0 (2014-06)
【発明の概要】
【発明が解決しようとする課題】
【０００７】
移動端末がセルラーシステムに加えて、他無線システム（GNSS（Global Navigation Satellite System）、無線LAN（Local Area Network）等）にて通信可能な場合、セルラーシステム及び他無線システムにて同時に通信することが考えられる。例えば、ナビゲーションアプリケーションを利用する場合、移動端末は、セルラーシステムにてデータ通信を行いつつ、GPS（Global Positioning Satellite）により位置測定を行う。このように、セルラーシステムと他無線システム（GNSS、無線LAN等）との同時通信状態において、セルラーシステムの上りリンク送信によるIMD又は高調波歪が他無線システムの受信周波数帯（移動端末が他無線システムの信号を受信することができる周波数帯）に影響を与える可能性がある。【０００８】
図１は、セルラーシステムの上りリンク送信によるIMDが他無線システムに与える影響を示す例である。図１では、セルラーシステムの例として、LTE（Long Term Evolution）システムが用いられている。移動端末がLTEシステムの２つ以上のコンポーネントキャリア（例えば、CC#1及びCC#2）を利用する場合、複数の送信波がスイッチ（SW）に入力され、これらの送信波の周波数の和又は差の組み合わせにより決まる位置にIMDが発生する。また、２つ以上のコンポーネントキャリア（例えば、CC#1及びCC#2）を利用する場合でも、１つのコンポーネントキャリア（例えば、CC#1及びCC#2のうち一方）を利用する場合でも、送信波の周波数の倍数により決まる位置に高調波歪が発生する。このようなIMD又は高調波歪が他無線システムの受信周波数帯に落ち込むとき、移動端末において他無線システムの受信感度が劣化する。【０００９】
他無線システムの受信感度の劣化を回避するためには、セルラーシステム側の送信電力を低減する手法が考えられる。【００１０】
図２は、送信電力の低減により他無線システムへのIMDの影響を減少させる例を示す概略図である。図２には、移動端末においてセルラーシステムの２つの周波数帯における送信電力を低減することで、IMDも低減する様子が示されている。その結果、IMDが他無線システムに与える影響が減少する。また、IMDが感度劣化の原因である場合、複数の周波数帯の利用を解除する手法も考えられる。【００１１】
図３は、送信電力の低減により他無線システムへの高調波歪の影響を減少させる例を示す概略図である。図３には、移動端末においてセルラーシステムにおける送信電力を低減することで、高調波歪も低減する様子が示されている。その結果、高調波歪が他無線システムに与える影響が減少する。【００１２】
しかし、このような手法は、セルラーシステムの通信品質（通信速度又はカバレッジ等）を劣化させることにつながるため、他の解決策が求められる。【００１３】
本発明は、移動端末がセルラーシステム及び他無線システムにて同時に通信していることが原因で他無線システムの受信感度が劣化する可能性があることを、基地局において把握することを目的とする。また、移動端末がセルラーシステム及び他無線システムにて同時に通信している場合、セルラーシステムの通信品質を維持しつつ、他無線システムの受信感度の劣化を軽減することを目的とする。
【課題を解決するための手段】
【００１５】
本発明の一形態に係る基地局は、
セルラーシステム及び異なる周波数帯を利用する他無線システムにて通信可能な移動端末と通信する基地局であって、
移動端末から、セルラーシステム及び他無線システムにて同時に通信していることを示す情報を受信し、同時通信状態になっている無線システムの種別に関する情報を受信する受信部と、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにする処理部と、
を有し、
前記処理部は、前記移動端末からのセルラーシステムの上りリンク送信により相互変調歪又は高調波歪が発生する周波数の範囲を示すテーブルを参照して、相互変調歪又は高調波歪の周波数の範囲が他無線システムの周波数帯と重ならないようにスケジューリングすることを特徴とする。
また、本発明の一形態に係る基地局は、
移動端末から、セルラーシステム及び他無線システムにて同時に通信していることを示す情報を受信し、同時通信状態になっている無線システムの種別に関する情報を受信する受信部と、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにする処理部と、
を有し、
前記処理部は、前記移動端末からのセルラーシステムの上りリンク送信により相互変調歪又は高調波歪が発生する周波数の範囲を算出し、当該算出した相互変調歪又は高調波歪の周波数の範囲が他無線システムの周波数帯と重ならないようにスケジューリングすることを特徴とする。
【００１７】
また、本発明の一形態に係る処理方法は、
セルラーシステム及び異なる周波数帯を利用する他無線システムにて通信可能な移動端末と通信する基地局における処理方法であって、
移動端末から、セルラーシステム及び他無線システムにて同時に通信していることを示す情報を受信し、同時通信状態になっている無線システムの種別に関する情報を受信するステップと、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにするステップと、
を有し、
前記重ならないようにするステップにおいて、前記移動端末からのセルラーシステムの上りリンク送信により相互変調歪又は高調波歪が発生する周波数の範囲を示すテーブルを参照して、相互変調歪又は高調波歪の周波数の範囲が他無線システムの周波数帯と重ならないようにスケジューリングすることを特徴とする。
また、本発明の一形態に係る処理方法は、
セルラーシステム及び異なる周波数帯を利用する他無線システムにて通信可能な移動端末と通信する基地局における処理方法であって、
移動端末から、セルラーシステム及び他無線システムにて同時に通信していることを示す情報を受信し、同時通信状態になっている無線システムの種別に関する情報を受信するステップと、
前記移動端末から、セルラーシステム及び他無線システムにて同時に通信していることを示す情報を受信した場合、前記移動端末からのセルラーシステムの上りリンク送信による相互変調歪又は高調波歪が他無線システムの周波数帯と重ならないようにするステップと、
を有し、
前記重ならないようにするステップにおいて、前記移動端末からのセルラーシステムの上りリンク送信により相互変調歪又は高調波歪が発生する周波数の範囲を算出し、当該算出した相互変調歪又は高調波歪の周波数の範囲が他無線システムの周波数帯と重ならないようにスケジューリングすることを特徴とする。
【発明の効果】
【００１８】
本発明によれば、移動端末がセルラーシステム及び他無線システムにて同時に通信していることが原因で他無線システムの受信感度が劣化する可能性があることを、基地局において把握するが可能になる。また、移動端末がセルラーシステム及び他無線システムにて同時に通信している場合、セルラーシステムの通信品質を維持しつつ、他無線システムの受信感度の劣化を軽減することが可能になる。
【図面の簡単な説明】
【００１９】
【図１】セルラーシステムの上りリンク送信によるIMDが他無線システムに与える影響の例を示す図
【図２】送信電力の低減により他無線システムへのIMDの影響を減少させる例を示す概略図
【図３】送信電力の低減により他無線システムへの高調波歪の影響を減少させる例を示す概略図
【図４】本発明の実施例に従って他無線システムへのIMDの影響を減少させる手法を示す概略図
【図５】本発明の実施例に従って他無線システムへの高調波歪の影響を減少させる手法を示す概略図
【図６】本発明の実施例に係る移動端末の構成を示す機能ブロック図
【図７】本発明の実施例に係る基地局の構成を示す機能ブロック図
【図８】IMD又は高調波歪が発生する周波数の範囲を示す図
【図９】本発明の実施例に係る移動端末及び基地局における動作を示すフローチャート
【発明を実施するための形態】
【００２０】
以下、本発明の実施例について図面を参照して説明する。
【００２１】
本発明の実施例では、複数の無線システムにて通信可能な移動端末について説明する。複数の無線システムのうち１つは、セルラーシステムのように、基地局が周波数領域においてスケジューリングを行うことができるシステムである。他無線システムは、GNSS又は無線LAN等の異なる周波数帯を利用するシステムである。
【００２２】
移動端末は、セルラーシステム及び他無線システムにて同時に通信しているか否かを判断し、同時に通信している場合、同時通信状態であることを基地局に通知する。基地局は、移動端末から、セルラーシステム及び他無線システムにて同時通信状態であることを示す情報を受信した場合、移動端末からの上りリンク送信によるIMD又は高調波歪が他無線システムの周波数帯と重ならないようにスケジューリングすることができる。
【００２３】
図４は、本発明の実施例に従って他無線システムへのIMDの影響を減少させる手法を示す概略図である。例えば、キャリアアグリゲーションにより２つの周波数帯が同時に利用されている場合、これらの周波数帯の信号の組み合わせによってIMDが発生する可能性がある。その結果、他無線システムの受信感度に影響を与える可能性がある。
【００２４】
移動端末は、セルラーシステムと他無線システムとの同時通信状態であると判断した場合、同時通信状態であることを基地局に通知する。基地局は、移動端末からの通知を受信すると、２つの周波数帯の送信波によるIMDが他無線システムの受信周波数帯と重なるか否かを判断することができる。IMDが他無線システムの受信周波数帯と重なる場合、基地局は、スケジューリングによりIMDの位置をずらすことができる。すなわち、基地局は、IMDが他無線システムの周波数帯と重ならないようにスケジューリングする。その結果、セルラーシステムの通信品質を維持しつつ、他無線システムの受信感度の劣化を軽減又は回避することが可能になる。
【００２５】
図５は、本発明の実施例に従って他無線システムへの高調波歪の影響を減少させる手法を示す概略図である。キャリアアグリゲーションにより複数の周波数帯が同時に利用されている場合だけでなく、１つの周波数帯が利用されている場合でも、高調波歪が発生する可能性がある。その結果、他無線システムの受信感度に影響を与える可能性がある。
【００２６】
移動端末は、セルラーシステムと他無線システムとの同時通信状態であると判断した場合、同時通信状態であることを基地局に通知する。基地局は、移動端末からの通知を受信すると、セルラーシステムの送信波による高長波歪が他無線システムの受信周波数帯と重なるか否かを判断することができる。高長波歪が他無線システムの受信周波数帯と重なる場合、基地局は、スケジューリングにより高長波歪の位置をずらすことができる。すなわち、基地局は、高長波歪が他無線システムの周波数帯と重ならないようにスケジューリングする。その結果、セルラーシステムの通信品質を落とさず、且つ、他無線システムの受信感度の劣化を軽減又は回避することが可能になる。
【００２７】
以下の例では、セルラーシステムにおけるスケジューリングにより、他無線システムへの影響を軽減又は回避するための具体的な構成及び動作について説明する。
【００２８】
＜移動端末の構成＞
図６は、本発明の実施例に係る移動端末の構成を示す機能ブロック図である。本発明の実施例に係る移動端末１０は、セルラーシステム及び他無線システムにて通信可能な装置である。セルラーシステムは、セルと呼ばれるエリアをカバーする基地局を配置して通信を行う無線システムである。セルラーシステムには、UMTS（Universal Mobile Telecommunications System）、UMTS enhancement、LTE single-cluster、LTE multi-cluster、UL inter-band CA、UL intra-band contiguous CA、intra-band non-contiguous CA、Dual Connectivity等、又はこれらの組み合わせが含まれる。セルラーシステムでは、周波数領域で連続的な周波数帯（例えば、700MHz帯）が用いられることもあり、周波数領域で不連続な周波数帯（例えば、700MHz帯及び2GHz帯の組み合わせ）が用いられることもある。他無線システムは、セルラーシステムの周波数帯とは異なる周波数帯を利用するシステムである。他無線システムには、GNSS、無線LAN等が含まれる。
【００２９】
移動端末１０は、セルラーシステム通信部１０１と、他無線システム通信部１０３と、同時通信判断部１０５と、受信品質測定部１０７とを有する。
【００３０】
セルラーシステム通信部１０１は、予め決められた１つ以上の周波数帯においてセルラーシステムの基地局から下りリンクの信号を受信し、また、セルラーシステムの基地局に対して上りリンクの信号を送信する。以下に説明するように、セルラーシステム通信部１０１は、セルラーシステム及び他無線システムの同時通信状態であることを示す情報を基地局に送信する。
【００３１】
他無線システム通信部１０３は、セルラーシステム通信部１０１が使用する周波数帯とは異なる予め決められた周波数帯において信号を受信する。他無線システム通信部１０３は、GNSS等の無線システムの場合のように、信号の受信のみを行ってもよく、無線LAN等の無線システムの場合のように、信号の送信も行ってもよい。
【００３２】
同時通信判断部１０５は、セルラーシステム及び他無線システムにて同時に通信しているか否かを判断する。特に、同時通信判断部１０５は、セルラーシステム通信部１０１において上りリンク送信を行っている間に、他無線システム通信部１０３において信号を受信しているか否かを判断する。セルラーシステム及び他無線システムにて同時に通信している場合、同時通信判断部１０５は、セルラーシステム通信部１０１から、同時通信状態であることを基地局に通知する。他無線システムが２つ以上の場合には、同時通信状態であることを示す情報に、同時通信状態になっている無線システムの種別が含まれてもよい。
【００３３】
受信品質測定部１０７は、他無線システム通信部１０３で受信した信号の受信品質を測定する。特に、受信品質測定部１０７は、IMD又は高調波歪による受信品質の劣化を測定する。例えば、他無線システム通信部１０３で受信した信号の受信品質が閾値未満であり、その受信した信号の周波数がIMD又は高調波歪の周波数の範囲と重なる場合、受信品質測定部１０７は、IMD又は高調波歪によって受信品質が劣化したと判断することができる。同時通信状態であることを基地局に通知するシグナリング量を低減するため、同時通信状態であることは、IMD又は高調波歪により受信品質が劣化している場合に通知されてもよい。
【００３４】
＜基地局の構成＞
図７は、本発明の実施例に係る基地局の構成を示す機能ブロック図である。本発明の実施例に係る基地局２０は、図６を参照して説明した移動端末１０と通信する装置であり、周波数領域においてスケジューリングを行うことができる装置である。
【００３５】
基地局２０は、送受信部２０１と、同時通信判断部２０３と、スケジューリング部２０５とを有する。
【００３６】
送受信部２０１は、予め決められた１つ以上の周波数帯において移動端末から上りリンクの信号を受信し、また、移動端末に対して下りリンクの信号を送信する。送受信部２０１は、セルラーシステム及び他無線システムの同時通信状態であることを示す情報を移動端末１０から受信する。
【００３７】
同時通信判断部２０３は、送受信部２０１において移動端末１０から受信した、セルラーシステム及び他無線システムの同時通信状態であることを示す情報により、移動端末１０がセルラーシステム及び他無線システムにて同時に通信していることを判断する。更に、移動端末１０がセルラーシステム及び他無線システムにて同時に通信している場合、同時通信判断部２０３は、セルラーシステムの上りリンク送信によるIMD又は高調波歪が発生する周波数の範囲を把握できるため、IMD又は高調波歪が他無線システムの受信周波数帯に落ち込むか否かを判断することができる。他無線システムの受信周波数帯は予め決められており、例えば、基地局２０内のメモリ（図示せず）等に記憶されているものとし、IMD又は高調波歪が発生する周波数の範囲については、以下に詳細に説明する。なお、同時通信状態であることを示す情報に、同時通信状態になっている無線システムの種別が含まれている場合、同時通信判断部２０３は、該当する無線システムの受信周波数帯を把握することができる。
【００３８】
スケジューリング部２０５は、移動端末１０に対する無線リソースの割り当てをスケジューリングする。特に、スケジューリング部２０５は、移動端末１０に対して、上りリンク送信のための周波数及び時間を割り当てる。移動端末１０に割り当てた周波数及び時間は、送受信部２０１から移動端末１０に通知される。
【００３９】
スケジューリング部２０５は、送受信部２０１においてセルラーシステム及び他無線システムの同時通信状態であることを示す情報を受信した場合、すなわち、同時通信判断部２０３において移動端末１０がセルラーシステム及び他無線システムにて同時に通信していると判断した場合、移動端末１０からの上りリンク送信によるIMD又は高調波歪が他無線システムの周波数帯と重ならないようにスケジューリングする。IMD又は高調波歪が発生する周波数の範囲については、以下に詳細に説明する。
【００４０】
スケジューリング部２０５は、スケジューリングのために、上りリンク送信に使用される周波数から、IMD又は高調波歪が発生する周波数の範囲を算出してもよい。或いは、スケジューリング部２０５は、スケジューリングのために、IMD又は高調波歪が発生する周波数の範囲を示すテーブルを参照してもよい。
【００４１】
図８は、IMD又は高調波歪が発生する周波数の範囲を示す図である。例えば、移動端末からの上りリンク送信に２つの不連続な周波数が割り当てられ、一方の周波数がfx_lowからfx_highの範囲であり、他方の周波数がfy_lowからfy_highの範囲である場合、高調波歪が発生する可能性がある範囲は、i*fx_lowからi*fx_highの範囲及びi*fy_lowからi*fy_high（i=2, 3, ...）の範囲である。例えば、図８に示すように、2*fx_lowから2*fx_highの範囲及び2*fy_lowから2*fy_highの範囲（2nd order harmonic）、3*fx_lowから3*fx_highの範囲及び3*fy_lowから3*fy_highの範囲（3nd order harmonic）等が求められる。
【００４２】
また、IMDが発生する可能性のある範囲は、|j*fx_low-k*fy_high|から|l*fx_high-m*fy_low|の範囲及び|j*fy_low-k*fx_high|から|l*fy_high-m*fx_low|の範囲(j=1, 2, ...; k=1, 2, ...; l=1, 2, ...; m=1, 2, ...)である。例えば、図８に示すように、|fx_low-fy_high|から|fx_high-fy_low|の範囲（Two-tone 2nd order IMD）、|2*fx_low-1*fy_high|から|2*fx_high-1*fy_low|の範囲及び|2*fx_low-1*fy_high|から|2*fx_high-1*fy_low|の範囲（Two-tone 3rd order IMD）等が求められる。
【００４３】
IMD又は高調波歪が発生する周波数の範囲は、同時通信状態であることを示す情報を受信したときに算出してもよく、予め算出してテーブルに保存してもよい。スケジューリング部２０５は、IMD又は高調波歪が発生する周波数の範囲と、他システムの受信周波数帯とを比較し、これらが重なる場合には、移動端末１０に割り当てた周波数をずらす。
【００４４】
一方、スケジューリング部２０５は、同時通信状態であることを示す情報を受信していない場合、IMD又は高調波歪の影響を考慮する必要はない。このような場合、スケジューリング部２０５は、通常通り、QoS（Quality of Service）、パケットの種類、伝搬状態等に基づいてスケジューリングする。
【００４５】
＜移動端末及び基地局の動作＞
図９は、本発明の実施例に係る移動端末１０及び基地局２０における動作を示すフローチャートである。
【００４６】
まず、ステップＳ１０１において、移動端末１０は、基地局２０とセルラーシステムの上りリンク送信を実施しているときに、他無線システムとの同時通信状態であるか否かを判断する。同時通信状態でない場合、移動端末１０は、「セルラーシステムと他無線システムとの同時通信状態であること」を基地局２０に通知する必要はない。従って、ステップＳ１１１において、基地局２０は、通常のスケジューリングを実施する。ステップＳ１１３において、セルラーシステムの送信を継続する場合、すなわち、送受信すべきデータが存在する場合には、ステップＳ１０１に戻り、上記の処理を繰り返し、セルラーシステムの送信を継続しない場合には、処理を終了する。
【００４７】
一方、同時通信状態である場合、ステップＳ１０３において、移動端末１０は、「セルラーシステムと他無線システムとの同時通信状態であること」をシグナリングにより基地局２０に通知する。
【００４８】
ステップＳ１０５において、基地局２０は、移動端末１０から「セルラーシステムと他無線システムとの同時通信状態であること」を通知された場合、セルラーシステムによるIMD又は高調波歪の範囲を算出する、或いは、予め算出されたIMD又は高調波歪の範囲を示すテーブルを参照する。また、ステップＳ１０７において、基地局２０は、セルラーシステムの上りリンク送信によるIMD又は高調波歪が他無線システムの受信周波数帯に落ち込むか否かを判断する。セルラーシステムの上りリンク送信によるIMD又は高調波歪が他無線システムの受信周波数帯に落ち込まない場合、ステップＳ１１１において、基地局２０は、通常のスケジューリングを実施する。ステップＳ１１３において、セルラーシステムの送信を継続する場合には、ステップＳ１０１に戻り、上記の処理を繰り返し、セルラーシステムの上りリンク送信を継続しない場合には、処理を終了する。
【００４９】
一方、セルラーシステムの上りリンク送信によるIMD又は高調波歪が他無線システムの受信周波数帯に落ち込む場合、ステップＳ１０９において、基地局２０は、セルラーシステムの上りリンク送信によるIMD又は高調波歪が他無線システムの周波数帯と重ならないようにスケジューリングする。ステップＳ１１３において、セルラーシステムの送信を継続する場合には、ステップＳ１０１に戻り、上記の処理を繰り返し、セルラーシステムの送信を継続しない場合には、処理を終了する。
【００５０】
＜本発明の実施例の効果＞
本発明の実施例によれば、移動端末がセルラーシステム及び他無線システムにて同時に通信していることが原因で他無線システムの受信感度が劣化する可能性があることを、基地局において把握するが可能になる。また、移動端末がセルラーシステム及び他無線システムにて同時に通信している場合、セルラーシステムの通信品質を維持しつつ、他無線システムの受信感度の劣化を軽減することが可能になる。
【００５１】
また、移動端末において、IMD又は高調波歪により受信品質が劣化している場合にのみ同時通信状態であることを基地局に通知することにより、シグナリング量を低減することが可能になる。
【００５２】
基地局は、同時通信状態であることを示す情報を受信したときにIMD又は高調波歪の範囲を算出してもよく、予め算出されたIMD又は高調波歪の範囲を示すテーブルを参照して判断してもよい。テーブルを参照することにより、基地局の負荷軽減が期待できる。
【００５３】
説明の便宜上、本発明の実施例に係る移動端末及び基地局は機能的なブロック図を用いて説明しているが、本発明の実施例に係る移動端末及び基地局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００５４】
以上、移動端末がセルラーシステム及び他無線システムにて同時に通信していることが原因で他無線システムの受信感度が劣化する可能性があることを、基地局において把握するための手法、及び移動端末がセルラーシステム及び他無線システムにて同時に通信している場合、セルラーシステムの通信品質を維持しつつ、他無線システムの受信感度の劣化を軽減するための手法について説明したが、本発明は、上記の実施例に限定されることなく、請求の範囲内において、種々の変更・応用が可能である。
【００５５】
本国際出願は２０１４年９月２６日に出願した日本国特許出願２０１４−１９７４１６号に基づく優先権を主張するものであり、２０１４−１９７４１６号の全内容を本国際出願に援用する。
【符号の説明】
【００５６】
１０    移動端末
１０１  セルラーシステム通信部
１０３  他無線システム通信部
１０５  同時通信判断部
１０７  受信品質測定部
２０    基地局
２０１  送受信部
２０３  同時通信判断部
２０５  スケジューリング部
【図１】
0006613239.tif 000002
【図２】
0006613239.tif 000003
【図３】
0006613239.tif 000004
【図４】
0006613239.tif 000005
【図５】
0006613239.tif 000006
【図６】
0006613239.tif 000007
【図７】
0006613239.tif 000008
【図８】
0006613239.tif 000009
【図９】
0006613239.tif 000010